(57)【要約】      （修正有）【課題】運動に使用していない場合でも、ロープの一端が吊下げ具から大きく伸びて邪魔になったり、また滑車などの吊下げ具からロープが落下することのない上肢運動用器具を提供する。【解決手段】所定長さのロープから構成される本体４、第１の把持部１１、第２の把持部１２、および、本体を吊り上げるよう本体に配置可能な吊下げ具６を備える、運動を補助するための器具である。本体は中央部２０、および、中央部の両端にそれぞれ位置する第１のループ部２１および第２のループ部２２を備え、第１の把持部は、第１のループ部に取り付けられ、そして、第２の把持部は、第２のループ部に取り付けられ、第１の把持部および第２の把持部の各々は、管状部材、磁石、および、被覆部材を備える。【選択図】図１
0003191375.tif 000002
【実用新案登録請求の範囲】
【請求項１】
所定長さのロープから構成される本体、第１の把持部、第２の把持部、および、該本体を吊り上げるよう該本体に配置可能な吊下げ具を備える、運動を補助するための器具であって、ここで：
（ａ）該本体は中央部、および、該中央部の両端にそれぞれ位置する第１のループ部および第２のループ部を備え；
（ｂ）該第１の把持部は、該第１のループ部に取り付けられ、そして、該第２の把持部は、該第２のループ部に取り付けられ；そして、
（ｃ）該第１の把持部および該第２の把持部の各々は、管状部材、磁石、および、被覆部材を備え、
ここで、該ループ部を構成する該ロープは該管状部材の通孔を通って延び、該磁石は該管状部材の外表面に配置され、該磁石および該管状部材は該被覆部材により囲繞され；
該第１の把持部が備える該磁石が該第１の把持部の管状部材と接する面の磁極は、該第２の把持部が備える該磁石が該第２の把持部の管状部材と接する面の磁極と反対である、器具。
【請求項２】
前記第１のループ部および第２のループ部の各々は、該ループ部を構成するロープの端部を前記中央部に接続することによって形成される、請求項１に記載の器具。
【請求項３】
前記ループ部は、該ループ部を構成するロープの素材を、前記中央部のロープの素材に編み込むことによって形成される、請求項２に記載の器具。
【請求項４】
前記ループ部は、さつま結びによって形成される、請求項２に記載の器具。
【考案の詳細な説明】
【技術分野】
【０００１】
本考案は、運動器具ないし健康器具の分野に関する。
【背景技術】
【０００２】
従来、健康増進のための上肢運動用器具として、様々な器具が開発されている。上肢運動の一例としては、例えば、室内の上部（例えば、天井の構造部材）にロープの吊下げ具を固定し、この吊下げ部にロープの中央を支持させて室内の上部から吊り下げたロープの両先端をそれぞれ手で掴み、上肢を回転させる、および／または、上肢を伸展・屈曲させる運動が挙げられる。
【０００３】
そのような運動のために開発された器具は、代表的には、天井の構造部材に固定されている器具（特許文献１）であるか、または、ロープを吊り下げる部分としてのフレームを含む器具である。
【０００４】
ところで、運動していない場合には、ロープの一端が吊下げ具から大きく伸びた状態となるためロープが邪魔になることがある。特に、滑車などの吊下げ具を用いてロープを吊り下げた場合には、滑車が回ってロープが吊下げ具から落下する場合もある。
【先行技術文献】
【特許文献】
【０００５】
【特許文献１】特表平１−５０３４４９号公報
【考案の概要】
【考案が解決しようとする課題】
【０００６】
本考案は、運動に使用していない場合でも、ロープの一端が吊下げ具から大きく伸びて邪魔になったり、また滑車などの吊下げ具からロープが落下することのない上肢運動用器具を提供することを目的とする。
【課題を解決するための手段】
【０００７】
本考案は、例えば、以下を提供する。
（項目１）
所定長さのロープから構成される本体、第１の把持部、第２の把持部、および、該本体を吊り上げるよう該本体に配置可能な吊下げ具を備える、運動を補助するための器具であって、ここで：
（ａ）該本体は中央部、および、該中央部の両端にそれぞれ位置する第１のループ部および第２のループ部を備え；
（ｂ）該第１の把持部は、該第１のループ部に取り付けられ、そして、該第２の把持部は、該第２のループ部に取り付けられ；そして、
（ｃ）該第１の把持部および該第２の把持部の各々は、管状部材、磁石、および、被覆部材を備え、
ここで、該ループ部を構成する該ロープは該管状部材の通孔を通って延び、該磁石は該管状部材の外表面に配置され、該磁石および該管状部材は該被覆部材により囲繞され；
該第１の把持部が備える該磁石が該第１の把持部の管状部材と接する面の磁極は、該第２の把持部が備える該磁石が該第２の把持部の管状部材と接する面の磁極と反対である、器具。
（項目２）
前記第１のループ部および第２のループ部の各々は、該ループ部を構成するロープの端部を前記中央部に接続することによって形成される、項目１に記載の器具。
（項目３）
前記ループ部は、該ループ部を構成するロープの素材を、前記中央部のロープの素材に編み込むことによって形成される、項目２に記載の器具。
（項目４）
前記ループ部は、さつま結びによって形成される、項目２に記載の器具。
【考案の効果】
【０００８】
本考案によれば、第１の把持部と第２の把持部をロープのループ部に取り付け、ループ部を吊り下げた状態では、第１の把持部の磁石と第２の把持部の磁石とが磁力により引きあって両把持部を接合するために、ロープが吊下げ具から落下したり、一方のロープの長さが長くなって吊下げ具から垂れ下がることがない。
【図面の簡単な説明】
【０００９】
【図１】図１は本考案の器具の一実施形態を示す概略図である。
【図２】図２は図１に示す本考案の器具をフレームのフックに吊るした状態の正面図である。
【図３】図３は図１に示す本考案の器具の本体の一部とループ部の一つの正面図である。
【図４】図４は図１に示す本考案の器具の本体の一部とループ部の一つの正面図である。ループ部に取り付けられた把持部は、図３の場合から９０度回転している。
【図５】図５は図１に示す本考案の器具の把持部の断面図である。
【図６】図６は本考案の器具のループ部を形成するためのロープの編み方を説明する図である。
【図７】図７は図６で示されたロープの編み方をより詳しく説明する図である。
【考案を実施するための形態】
【００１０】
以下、本考案を図面に基づいて具体的に説明する。
【００１１】
図１および図２に示すように、一つの局面において、本考案の運動を補助するための器具２は、所定の長さのロープから構成される本体４、第１の把持部１１、第２の把持部１２、および、該本体４のほぼ中央付近に配置可能な吊下げ具６を備える。
【００１２】
本明細書で用いる場合、用語「ロープ」は、必ずしも細長い物品をさらにより合わせたものである必要はない。用語「ロープ」は、あらゆる紐状の物質を包含する。
【００１３】
本体４は、運動に好適な長さの中央部２０、該中央部２０の各両端にそれぞれ位置するループ部２１、２２を備える。
【００１４】
該本体４は１本または複数本のロープから構成することができる。１本のロープから本体４を構成する場合は、１本のロープの両端部をそれぞれほぼ一周させて中央部２０の両端部にループ部２１、２２を作ればよい。つまり、該ループ部２１、２２は、該ループ部２１、２２を構成するロープの端部を該中央部２０の端部に接続することによって形成することができる。
【００１５】
一例では、図６および図７に示すように、ループ部２１、２２を構成するロープの素材２４を該中央部２０のロープの素材２３に編み込むことによってループ部２１、２２と中央部２０とが接続される。例えば、ロープが３本のロープの素材を編んで作製される場合は、その３本のロープの素材を一旦ほぐし、ループ部２１、２２の端部が接続される中央部２０のロープも同様に一旦ほぐして３本のロープの素材２３に分離し、中央部２０のロープの素材２３の間にループ部２１、２２のロープ素材２４を絡ませて編むことにより、ループ部２１、２２の端部を中央部２０に接続することができる。なお、図６および図７では、１本の中央部２０のロープの素材２３と１本のループ部２１、２２のロープ素材２４とを絡ませた状態を示している。
【００１６】
このようなループ部２１、２２と中央部２０との接続は、さつま結びとも称される。このようにして本体４の中央部２０とループ部２１、２２とを接続することにより、中央部２０とループ部２１、２２との接続強度が大きくなり、しかも、接続部２５の外径寸法が中央部２０から次第に大きくなり、外径が接続部２５において急に大きくなることはない。従って、従来の接続具および／または結び方を用いて本体の端部にループ部を形成する場合のように、外径がロープに比べて大きくなった接続部分（結び目など）が手や体の一部に当たって損傷するようなことはない。また、接続のための接続具が不要である。
【００１７】
上記第１のループ部２１および第２のループ部２２のそれぞれに取り付けられる第１の把持部１１および第２の把持部１２の各々は、管状部材１４、磁石１５、および、被覆部材１６を備える。
【００１８】
管状部材１４は、樹脂製（例えば、成形品）または金属製などの比較的硬質の部材から構成することができる。管状部材１４は手で握ることができる程度の大きさであればよく、その形状および／またはサイズは限定されない。
【００１９】
図３〜図５に示すように、この管状部材１４の通孔の一方からループ部２１または２２を構成するロープ２１ａまたは２２ａが通され、管状部材１４の他方の通孔から出たロープ２１ａまたは２２ａの端部が上記したように中央部２０に接続される。
【００２０】
該磁石１５は板状または偏平な直方体形状のものを使用することができる。磁石１５は、管状部材１４の外面に配置できる程度の大きさであればよく、形状、サイズは限定されない。磁石１５は、磁石１５の外面側と内面側（管状部材１４に接する側）でＮ極とＳ極とに分かれているものが好ましい。磁石１５を管状部材１４の外面に配置した場合には、該管状部材１４の外側にＮ極またはＳ極の磁極が現れる。
【００２１】
この磁石１５が管状部材１４の外表面に配置され、該磁石１５および該管状部材１４を共に外側から包むように被覆部材１６がこれらを囲繞している。
【００２２】
管状部材１４は、好ましくは、その外表面に切り込みを備え、それによって、磁石１５を係合してもよい。
【００２３】
被覆部材１６としては、例えば、弾性な合成樹脂、エラストマー、ゴムなどからなる筒状の弾性部材から構成することができる。または、シュリンクフィルム（加熱によって収縮し得るフィルム）などで構成することもできる。
【００２４】
この被覆部材１６が弾性部材から構成される場合は、被覆部材１６の内径を大きくした状態でその被覆部材１６内に管状部材１４および磁石１５を共に挿入し、被覆部材１６に加えた力を取り除くことにより、被覆部材１６の弾性収縮力によって管状部材１４および磁石１５を保持する。よって、運動中に第１および第２の把持部１１、１２を手で強く握った場合でも、管状部材１４と磁石１５は被覆部材１６の中で容易に移動することはない。
【００２５】
また、被覆部材１６が管状部材１４の外側に配置されているために、第１および第２の把持部１１、１２を手で握った際に、汗などで手が滑ることが防止される。また、手で第１および第２の把持部１１、１２を握った際にそれらが手のひらにフィットする。
【００２６】
第１の把持部１１が備える磁石１５が該管状部材１４と接する面の磁極は、該第２の把持部１２が備える該磁石１５が該管状部材１４と接する面の磁極と反対である。よって、第１の把持部１１を取り付けた第１のループ部２１と第２の把持部１２を取り付けた第２のループ部２２を吊下げ具６から自然に吊り下げた状態では、第１の把持部１１の磁石１５と第２の把持部１２の磁石１５が引き合うために、両把持部１１、１２は接合する。
【００２７】
吊下げ具６は、該本体４を吊り下げるように構成される。吊下げ具６は、例えば、吊り滑車などの滑車を備えた部材を用いることができる。
【００２８】
図１および図２に示すように、この吊下げ具６をフック付き支持フレーム８のフックなどに吊り下げ、この吊下げ具６にロープのほぼ中央部を支持させると、吊下げ具６からロープの両端部が垂れ下がる。このロープの両端に設けられた第１および第２の把持部１１、１２の各々を両手で掴み、上肢の回転運動、および／または、上肢の伸展運動および屈曲運動をすることができる。
【００２９】
運動の際には（特に、両腕を交互に伸展運動および屈曲運動する際には）、ロープは吊下げ具６を自由にスライドすることができることが好ましい。
【００３０】
吊下げ具６として吊り滑車を用いた場合には、滑車がロープの移動に伴って回転するために一方の把持部の力が他方の把持部に容易に伝わる。
【００３１】
本考案の使用者は、必ずしも吊下げ具６の真下で運動する必要はない。例えば、使用者は、吊下げ具６を吊り下げた位置の斜め下方向に足を配置して、すなわち、ロープを垂直ではなく垂直に対して一定の角度を付けた状態で、本考案を使用することができる。
【００３２】
器具２の本体４の両端のループ部２１および２２の各々に磁石１５の付いた第１および第２の把持部１１、１２を備えることによって、本考案の器具２を使用しない際には、図５に示すように、第１および第２の把持部１１、１２が接合するために、ロープが吊下げ具６から落下したり、一方のロープの長さが長くなって吊下げ具６から垂れ下がることがない。また、器具２の収納ないし保管が容易となる。
【００３３】
また、本考案の器具２をフック付き支持フレーム８のフックなどから吊り下げた後に、使用しない場合には、この磁石を介して周囲の金属（例えば、フックの支柱など）に磁石の作用により固定することもできる。
【符号の説明】
【００３４】
２    器具
４    本体
６    吊下げ具
８    フック付き支持フレーム
１１  第１の把持部
１２  第２の把持部
１４  管状部材
１５  磁石
１６  被覆部材
２０  中央部
２１  第１のループ部
２２  第２のループ部
２３  中央部のロープの素材
２４  ループ部を構成するロープの素材
２５  中央部とループ部の端部との接続部
【図１】
0003191375.tif 000003
【図２】
0003191375.tif 000004
【図３】
0003191375.tif 000005
【図４】
0003191375.tif 000006
【図５】
0003191375.tif 000007
【図６】
0003191375.tif 000008
【図７】
0003191375.tif 000009